(57)【要約】      （修正有）【課題】より好適な使い勝手を実現できる携帯端末装置を提供する。【解決手段】情報処理装置の表示方法であって、情報処理装置の押圧センサに対する押圧を検出する押圧検出ステップと、情報処理装置が表示出力する情報の表示範囲を変更する制御を行う表示制御ステップとを備える。押圧検出ステップにおいて、押圧センサに対するタッチを検出し、押圧センサに対する一箇所の押圧の第１操作と、複数箇所同時の押圧の第２操作との二種類の操作を区別して検出する。表示制御ステップにおいて、所定の大きさ以上の押圧が検出された際に、押圧が保持されている場合、情報の表示範囲を変更し、二種類の操作の区別に応じて、情報の表示範囲を変更における二種類の動作として、情報の表示範囲を第１方向で変更する第１動作と、第２方向で変更する第２動作と、を行って表示制御する。【選択図】図１２
2020184351.tif 000002
【特許請求の範囲】
【請求項１】
情報処理装置の表示方法であって、
前記情報処理装置の押圧センサに対する押圧を検出する押圧検出ステップと、
前記情報処理装置が表示出力する情報の表示範囲を変更する制御を行う表示制御ステップと
を備え、
前記押圧検出ステップにおいて、
前記押圧センサに対するタッチを検出し、前記押圧センサに対する一箇所の押圧の第１操作と、複数箇所同時の押圧の第２操作との二種類の操作を区別して検出し、
前記表示制御ステップにおいて、
所定の大きさ以上の押圧が検出された際に、前記押圧が保持されている場合、前記情報の表示範囲を変更し、
前記二種類の操作の区別に応じて、前記情報の表示範囲を変更における二種類の動作として、前記情報の表示範囲を第１方向で変更する第１動作と、第２方向で変更する第２動作と、を行って表示制御する、
表示方法。
【請求項２】
情報処理装置の表示方法であって、
前記情報処理装置の押圧センサに対する押圧を検出する押圧検出ステップと、
前記情報処理装置が表示出力する情報の表示範囲を変更する制御を行う表示制御ステップと
を備え、
前記押圧検出ステップにおいて、
前記押圧センサに対するタッチを検出し、前記押圧センサに対する第１領域内の押圧の第１操作と、第２領域内の押圧の第２操作との二種類の操作を区別して検出し、
前記表示制御ステップにおいて、
所定の大きさ以上の押圧が検出された際に、前記押圧が保持されている場合、前記情報の表示範囲を変更し、
前記二種類の操作の区別に応じて、前記情報の表示範囲を変更における二種類の動作として、前記情報の表示範囲を第１方向で変更する第１動作と、第２方向で変更する第２動作と、を行って表示制御する、
表示方法。
【請求項３】
情報処理装置の表示方法であって、
前記情報処理装置の押圧センサに対する押圧を検出する押圧検出ステップと、
前記情報処理装置が表示出力する情報の表示範囲を変更する制御を行う表示制御ステップと
を備え、
前記押圧検出ステップにおいて、
前記押圧センサに対するタッチを検出し、前記押圧センサに対する押圧の第１操作と、前記押圧センサと異なる押圧センサに対する第２操作との二種類の操作を区別して検出し、
前記表示制御ステップにおいて、
所定の大きさ以上の押圧が検出された際に、前記押圧が保持されている場合、前記情報の表示範囲を変更し、
前記二種類の操作の区別に応じて、前記情報の表示範囲を変更における二種類の動作として、前記情報の表示範囲を第１方向で変更する第１動作と、第２方向で変更する第２動作と、を行って表示制御する、
表示方法。
【請求項４】
情報処理装置の表示方法であって、
前記情報処理装置の押圧センサに対する押圧を検出する押圧検出ステップと、
前記情報処理装置が表示出力する情報の表示範囲を変更する制御を行う表示制御ステップと
を備え、
前記押圧検出ステップにおいて、
前記押圧センサに対するタッチと押圧の強さを検出し、
前記表示制御ステップにおいて、
所定の大きさ以上の押圧が検出された際に、前記押圧が保持されている場合、前記情報の表示範囲を変更し、
前記押圧の強さに応じて、前記情報の表示範囲を変更の際に、前記情報を連続的に移動させる場合の速度、または断続的に移動させる場合の時間間隔の変更、を行って表示制御する、
表示方法。
【発明の詳細な説明】
【技術分野】
【０００１】
本発明は、携帯端末装置の技術に関する。また、本発明は、表示画面に対するユーザインタフェース技術に関する。
【背景技術】
【０００２】
タッチパネルの表示画面に対するユーザの指等の接触により入力操作を可能とする、スマートフォン等の携帯端末装置が普及している。携帯端末装置は、タッチ入力操作に応じて、表示画面内のコンテンツ等の表示を制御する。携帯端末装置は、入力操作に応じて例えばインターネットからコンテンツ情報を取得して表示画面に表示する。その際、携帯端末装置は、そのコンテンツの全体が表示画面内に表示しきれない場合には、そのコンテンツの表示情報の一部を表示する。携帯端末装置は、表示画面内でのタッチ入力操作として、タップ、スワイプ、フリック、ピンチ等の各種の操作を受け付ける。例えば、スワイプ操作の場合、ユーザは表示画面を指でタッチし、タッチした状態のまま移動させてから指を離す。フリック操作の場合、ユーザは表示画面を指でタッチした後に素早く指を移動させてから指を離す。携帯端末装置は、タッチ入力操作に応じて、表示画面内のコンテンツの表示範囲をスクロール等させる。これにより、ユーザは、表示画面でコンテンツの他の一部や全体を閲覧等できる。
【０００３】
また、携帯端末装置は、基本操作画面あるいはホーム画面等と呼ばれる画面を設けている。例えば、ホーム画面では、メールやブラウザ等の複数のアプリケーションのアイコンが配置されている。また、複数のホーム画面が設けられる場合もある。ホーム画面で入力操作によりアイコンが選択されると、そのアイコンに対応付けられているアプリケーションが実行され、アプリケーション画面が表示される。複数のアプリケーションが実行されている場合、複数のアプリケーション画面が設けられる。アプリケーション画面では、コンテンツ等の全体または一部が表示される。ユーザは、表示画面内に表示されるホーム画面等の表示範囲を、タッチ入力操作により切り替えることができる。
【０００４】
上記のような携帯端末装置のユーザインタフェースに関する先行技術例として、特開２０１１−７６３４９号公報（特許文献１）が挙げられる。特許文献１には、携帯情報端末等として、以下の旨が記載されている。その携帯情報端末は、自装置の傾きを検知し、傾きの方向と大きさを示す傾き情報を生成し、画面に対するタッチ操作による接触が維持された状態で検知された傾きについての傾き情報に基づいて、表示画像を変化させる。
【０００５】
また、近年では、タッチパネル及び携帯端末装置として、タッチセンサだけでなく、押圧状態を検出できる押圧センサを備えるものも実現されている。
【先行技術文献】
【特許文献】
【０００６】
【特許文献１】特開２０１１−７６３４９号公報
【発明の概要】
【発明が解決しようとする課題】
【０００７】
しかしながら、携帯端末装置の表示画面の大きさは限られており、コンテンツ表示情報のサイズが大きい場合や多数のホーム画面等がある場合には、表示画面内において、コンテンツの一部や複数の画面の一部のみが表示範囲となる。ユーザが所望のコンテンツや画面の一部や全体を閲覧等したい場合、表示範囲のスクロール等のために、スワイプ等のタッチ入力操作を何回も繰り返す必要がある。タッチ入力操作を何回も繰り返すことは、手間がかかり、身体にも負担をかける。また、表示画面内に多数のアイコン等が配置されている場合、ユーザが所望のアイコン等を探してその箇所をタッチする操作の際に、指が届かない場合もある。その場合、目的の操作のために、端末の持ち手の状態を変える、両手で操作する等の対応が必要になり、手間がかかる。
【０００８】
特許文献１のような技術を用いる場合、ユーザが、概略平板形状の端末の表示画面を、水平の状態でタッチして角度を持つ状態に傾けた場合に、表示画像をスクロール等させることができる。しかし、個々のユーザや状況や目的の操作等に応じて、端末の傾きの状態や、持ち手や指の状態は、様々である。通常、ユーザが端末を手に持った状態で表示画面を見る場合、ユーザの視線及び持ち手の状態に合わせて、水平の地面に対して表示画面内の上下方向が斜めに傾いた状態をとる場合が多い。そのため、特許文献１のような技術では、様々な状態に好適に対応することはできず、表示画面の内容が視認しにくい場合や、意図しないタッチによってスクロールしてしまう等の可能性があり、使い勝手の点で改善余地がある。
【０００９】
本発明の目的は、携帯端末装置及び表示画面に対するユーザインタフェースの技術に関して、ユーザの様々な状態に対応して少ない手間でコンテンツ等の表示範囲の変更が実現でき、より好適な使い勝手を実現できる技術を提供することである。
【課題を解決するための手段】
【００１０】
本発明のうち代表的な実施の形態は、携帯端末装置であって、以下に示す構成を有することを特徴とする。
【００１１】
一実施の形態の携帯端末装置は、表示画面に情報を表示する表示部と、前記表示画面に対する押圧を検出する押圧検出部と、前記表示画面に表示される前記情報の表示範囲を変更する制御を行う表示制御部と、を備え、前記表示制御部は、前記押圧検出部により所定の大きさ以上の押圧が検出された場合に、前記押圧が保持されている状態において、前記表示画面に表示する前記情報の前記表示範囲を変更する。
【発明の効果】
【００１２】
本発明のうち代表的な実施の形態によれば、携帯端末装置及び表示画面に対するユーザインタフェースの技術に関して、ユーザの様々な状態に対応して少ない手間でコンテンツ等の表示範囲の変更が実現でき、より好適な使い勝手を実現できる。
【図面の簡単な説明】
【００１３】
【図１】本発明の実施の形態１の携帯端末装置の構成概要を示す図である。
【図２】実施の形態１の携帯端末装置の機能ブロック構成を示す図である。
【図３】実施の形態１の携帯端末装置のソフトウェア等の構成を示す図である。
【図４】実施の形態１の携帯端末装置で、アプリケーション画面でのコンテンツ表示を示す図である。
【図５】実施の形態１の携帯端末装置で、タッチ押圧センサの検出について示す図である。
【図６】実施の形態１の携帯端末装置で、ユーザによる使用状態、傾き角度、傾ける操作等について、横から見た状態で示す図である。
【図７】実施の形態１の携帯端末装置で、傾ける操作等を、表示画面の正面を見た状態で示す図である。
【図８】実施の形態１の携帯端末装置で、表示範囲変更制御として、コンテンツのスクロール表示を示す図である。
【図９】実施の形態１の携帯端末装置で、制御処理のフローを示す図である。
【図１０】実施の形態１の携帯端末装置で、押圧とスクロール速度との関係を示す図である。
【図１１】本発明の実施の形態２の携帯端末装置における、表示画面、及び複数のホーム画面の切り替え表示について示す図である。
【図１２】実施の形態２の携帯端末装置で、表示制御として、ホーム画面に対する操作、及び画面切り替えについて示す図である。
【図１３】実施の形態２の携帯端末装置で、制御処理のフローを示す図である。
【図１４】実施の形態２の携帯端末装置で、第１方向画面切り替えの処理のフローを示す図である。
【図１５】実施の形態２の携帯端末装置で、第２方向画面切り替えの処理のフローを示す図である。
【図１６】実施の形態２の変形例の携帯端末装置で、表示画面の表示状態を示す図である。
【図１７】実施の形態２の変形例の携帯端末装置で、コンテンツの履歴情報を示す図である。
【図１８】実施の形態２の携帯端末装置で、コンテンツの複数のページ情報を示す図である。
【図１９】本発明の実施の形態３の携帯端末装置における、表示制御を示す図である。
【図２０】実施の形態３の携帯端末装置で、制御処理のフローを示す図である。
【図２１】実施の形態３の携帯端末装置で、押圧と時間間隔との関係を示す図である。
【図２２】実施の形態３の携帯端末装置で、左右の手に応じた操作を示す図である。
【図２３】本発明の実施の形態４の携帯端末装置における、表示制御を示す図である。
【図２４】実施の形態４の携帯端末装置で、制御処理のフローを示す図である。
【図２５】実施の形態４の携帯端末装置で、アイコン配置変更処理のフローを示す図である。
【図２６】本発明の実施の形態５の携帯端末装置における、外観や操作を示す図である。
【図２７】実施の形態５の携帯端末装置で、制御処理のフローを示す図である。
【発明を実施するための形態】
【００１４】
以下、本発明の実施の形態を図面に基づいて詳細に説明する。なお、実施の形態を説明するための全図において同一部には原則として同一符号を付し、その繰り返しの説明は省略する。
【００１５】
（実施の形態１）
図１〜図１０を用いて、本発明の実施の形態１の携帯端末装置について説明する。
【００１６】
［構成概要］
図１は、実施の形態１の携帯端末装置の構成概要を示す。図１では、ユーザが左手で携帯端末装置の筐体１を持ち、表示画面２内の箇所を親指でタッチ及び押圧する際の状態を示す。携帯端末装置は、水平面、水平方向に対する絶対的な傾きの角度θを持って傾いた状態である。表示画面２には、コンテンツ等の表示情報３の全体のうち一部が表示範囲４として表示されている。なお、説明上、Ｘ方向、Ｙ方向、Ｚ方向を示す。Ｘ方向及びＹ方向は、筐体１、表示画面２、及びコンテンツの表示情報３等の平面を構成する方向である。Ｘ方向は、画面内水平方向、横方向、左右方向である。Ｙ方向は、画面内垂直方向、縦方向、上下方向である。Ｚ方向は、Ｘ方向及びＹ方向に対する垂直方向であり、筐体１等の厚さ方向である。
【００１７】
携帯端末装置は、表示部、タッチ検出部、押圧検出部、傾き角度検出部、表示制御部等を備える。表示部は、表示画面２にコンテンツ等の表示情報３を表示する。タッチ検出部は、表示画面２に対するタッチの有無及び位置座標等を検出する。押圧検出部は、表示画面２に対する押圧の強さ等を検出する。傾き角度検出部は、携帯端末装置の傾きの角度として角度θ及び角度θｎ等を検出する。表示制御部は、押圧や傾き角度の状態に基づいて、表示情報３の表示範囲４を変更する制御として、スクロール５，６等を制御する。
【００１８】
ユーザは、表示画面２に表示されているコンテンツのうちの他の一部を閲覧等したい場合、自分に適した手持ちの状態で、表示画面２内の箇所を例えば親指でタッチ及び押圧する。押圧検出部は、その際に所定の大きさ以上の押圧を検出する。傾き角度検出部は、その際の筐体１の傾きの角度を検出する。表示制御部は、所定の押圧が検出された場合、その時点で検出された傾きの角度θを、基準角度θ０として設定する。
【００１９】
ユーザは、表示画面２をタッチ及び押圧したままの状態で、筐体１を傾ける操作を行う。言い換えると、筐体１は、所定の回転軸及び方向で回転させられる。傾き角度検出部は、その傾ける操作及び回転に伴う傾きの角度θｎを同様に検出する。表示制御部は、タッチ及び押圧が保持されている状態で検出された傾きの角度θｎと基準角度θ０との差分の大きさに応じて、表示画面２での表示範囲４を変更する制御を行う。表示制御部は、その変更制御として、スクロール５，６や画面切り替え等の表示動作を制御する。スクロール５，６は、表示画面２に表示される表示範囲４をＹ方向の上下等で連続的に移動させる動作である。画面切り替えは、表示範囲４をコンテンツの一部の領域や後述の画面等の単位で切り替えるように移動させる動作である。
【００２０】
ユーザは、スクロール５，６等の動作によって所望のコンテンツや画面の箇所が表示された状態で、表示画面２から指を離す。押圧検出部は、その際の所定の大きさ以上の押圧が無い状態を検出する。表示制御部は、その押圧が無い状態の検出に基づいて、スクロール５，６等を停止する。
【００２１】
図１の下側には、上記制御を時間軸で示す。携帯端末装置は、最初、通常モードの状態から、表示画面２で所定の大きさ以上の押圧が有るタッチ押圧操作がされると、特有の制御モードに入る。その制御モードでは、上記基準角度θ０が設定され、押圧が維持されたままで傾ける操作に応じて、表示範囲４の変更制御が行われる。ユーザが指を離すと、所定の大きさ以上の押圧が無い状態となり、その制御モードが解除され、通常モードに戻る。このように、ユーザは、簡単な操作によってコンテンツ等の表示範囲４を変えて素早く所望の箇所を閲覧等することができる。
【００２２】
［携帯端末装置（１）］
図２は、実施の形態１の携帯端末装置の機能ブロック構成を示す。実施の形態１の携帯端末装置は、スマートフォンである。携帯端末装置としては、携帯電話機、タブレット型ＰＣ、ＰＤＡ、その他の各種の携帯用デジタル機器が適用可能である。
【００２３】
実施の形態１の携帯端末装置は、主制御部１０１、システムバス１０２、ＲＯＭ１０３、ＲＡＭ１０４、ストレージ部１０５、操作部１０６、振動発生部１０７、拡張インタフェース部１０８、センサ部１１０、映像処理部１２０、音声処理部１３０、通信処理部１４０、等を有する。
【００２４】
主制御部１０１は、マイクロプロセッサユニット等により構成され、プログラム処理に従って携帯端末装置の全体を制御する。システムバス１０２は、主制御部１０１と各部との間でデータ送受信を行うためのデータ通信路である。ＲＯＭ１０３は、ＯＳ等の基本動作プログラムやアプリケーションプログラム等が格納されているメモリである。ＲＯＭ１０３は、例えばＥＥＰＲＯＭやフラッシュＲＯＭ等、書き換え可能なＲＯＭが用いられる。ＲＯＭ１０３に格納されているプログラムの更新により、基本動作プログラム等のバージョンアップや機能拡張が可能である。ＲＡＭ１０４は、基本動作プログラムやアプリケーションプログラム等の実行時のワークエリアとなる。ストレージ部１０５には、アプリケーションプログラム等が格納されている。
【００２５】
操作部１０６は、ユーザによる入力操作を可能とする入力デバイスを含む部分であり、操作キーを含む。操作キーは、携帯端末装置の電源オン／オフやスタンバイを可能とする操作キーや、基本操作画面を表示するための操作キー等を含む。
【００２６】
振動発生部１０７は、偏心モータ等により、携帯端末装置を振動させる。これにより、ユーザに状態を伝えることができる。拡張インタフェース部１０８は、携帯端末装置の機能を拡張するためのインタフェース群である。拡張インタフェース部１０８は、例えばＵＳＢインタフェース、メモリインタフェース等で構成される。ＵＳＢインタフェースは、キーボードやその他のＵＳＢ機器の接続を行う。メモリインタフェースは、メモリカードやその他のメモリ媒体の接続、及びデータ送受信を行う。
【００２７】
センサ部１１０は、携帯端末装置に関する状態を検出するためのセンサ群である。センサ部１１０は、ＧＰＳ受信部１１１、加速度センサ１１２、ジャイロセンサ１１３、地磁気センサ１１４、照度センサ１１５、近接センサ１１６、タッチ押圧センサ１１７を含む。センサ部１１０は、その他のセンサを備えてもよい。
【００２８】
ＧＰＳ受信部１１１を用いて、携帯端末装置の位置が例えば緯度及び経度として検出可能である。加速度センサ１１２及びジャイロセンサ１１３を用いて、携帯端末装置の動き及び傾きが検出可能である。傾きとしては、少なくとも絶対的な傾きとして水平面に対する傾きの角度が検出可能である。地磁気センサ１１４を用いて、携帯端末装置の方角が検出可能である。照度センサ１１５を用いて、携帯端末装置の周囲の明るさが検出可能である。近接センサ１１６を用いて、携帯端末装置の周囲物との近接状況が検出可能である。
【００２９】
タッチ押圧センサ１１７を用いて、表示部１２１の表示画面２に対する指のタッチ及び押圧の状態を検出可能である。例えば、タッチ状態として、タッチ有無及びタッチ位置座標が検出可能である。例えば、押圧状態として押圧有無及び押圧の強さが検出可能である。なお、タッチ押圧センサ１１７は、タッチセンサと押圧センサとの一体型に限らず、タッチセンサと押圧センサとが別々の装置として設けられてもよい。
【００３０】
映像処理部１２０は、表示部１２１、映像信号処理部１２２、第１映像入力部１２３、第２映像入力部１２４を含む。表示部１２１は、表示画面２を構成し、例えば液晶パネル等の表示装置を含む。表示部１２１は、映像信号処理部１２２で処理された映像データを表示画面２に表示する。表示部１２１は、タッチ押圧センサ１１７の機能と対応しており、タッチ押圧センサ１１７を内蔵した型のタッチパネルを含んでもよい。映像信号処理部１２２は、ビデオＲＡＭ等を備え、ビデオＲＡＭに入力された映像データに基づいて、表示部１２１を駆動する。映像信号処理部１２２は、必要に応じて、映像データのフォーマット変換、メニューやその他のＯＳＤ信号の重畳処理等を行う。第１映像入力部１２３及び第２映像入力部１２４は、例えばカメラユニットにより構成される。カメラユニットは、レンズから入力した光を、ＣＣＤやＣＭＯＳセンサ等の素子を用いて電気信号に変換することにより、周囲や対象物の映像データを得る。
【００３１】
音声処理部１３０は、音声出力部１３１、音声信号処理部１３２、音声入力部１３３を含む。音声出力部１３１は、スピーカを含み、音声信号処理部１３２で処理された音声信号を音声出力する。音声入力部１３３は、マイクを含み、周囲の音声を音声データに変換して入力する。
【００３２】
通信処理部１４０は、ＬＡＮ通信部１４１、電話網通信部１４２、近距離通信部１４３を含む。ＬＡＮ通信部１４１は、無線通信用アクセスポイントとの無線通信接続及びデータ送受信を行う。電話網通信部１４２は、移動体電話通信網の基地局との無線通信接続、電話通信、及びデータ送受信を行う。近距離通信部１４３は、例えばBlueTooth（登録商標）等の通信インタフェースに対応し、対応する機器との間で近距離無線通信を行う。通信処理部１４０の各部は、それぞれ、符号回路や復号回路、アンテナ等を備える。通信処理部１４０は、赤外線通信部等を備えてもよい。
【００３３】
［携帯端末装置（２）］
図３は、実施の形態１の携帯端末装置のソフトウェア構成として、特に、ＲＯＭ１０３、ＲＡＭ１０４、及びストレージ部１０５におけるプログラムやデータの構成を示す。ＲＯＭ１０３には、基本動作プログラム１０３ａ、その他のプログラム１０３ｂが格納されている。ＲＡＭ１０４には、基本動作実行部１０４ａ、アプリケーション実行部１０４ｂ、一時記憶領域１０４ｃ、等が構成される。基本動作プログラム等の実行時には、必要に応じてデータが一時記憶領域１０４ｃに保持される。
【００３４】
ストレージ部１０５には、アプリケーションプログラム１０５ａ、各種情報／データ記憶領域１０５ｂ等を有する。アプリケーションプログラム１０５ａは、メール、ブラウザ、地図、ゲーム、電子書籍リーダ等、各種機能を実現するためのプログラムである。各種情報／データ記憶領域１０５ｂには、携帯端末装置の設定情報やアプリケーション毎の設定情報等の各種情報やデータが記憶される。ストレージ部１０５は、フラッシュＲＯＭやＳＳＤやＨＤＤ等の不揮発性記憶装置を含み、携帯端末装置に電源が供給されていない状態でも記憶情報を保持する。
【００３５】
なお、ＲＯＭ１０３及びＲＡＭ１０４は主制御部１０１と一体の構成でもよい。ＲＯＭ１０３の機能の一部または全部は、代替として、ストレージ部１０５の一部記憶領域により実現されてもよい。
【００３６】
主制御部１０１は、ＲＯＭ１０３から基本動作プログラム１０３ａを読み出してＲＡＭ１０４に展開して実行することにより、基本動作実行部１０４ａを実現する。主制御部１０１は、ストレージ部１０５からアプリケーションプログラム１０５ａを読み出してＲＡＭ１０４に展開して実行することにより、アプリケーション実行部１０４ｂを実現する。
【００３７】
基本動作実行部１０４ａには、各実行部として、タッチ検出部２０１、押圧検出部２０２、傾き角度検出部２０３、表示制御部２０４、及び振動制御部２０５を含む。各実行部は連携する。
【００３８】
タッチ検出部２０１は、タッチ押圧センサ１１７を用いてタッチ検出処理を行う。タッチ検出部２０１は、表示画面２内の複数の箇所のタッチを検出する公知の機能を実現する。タッチ検出部２０１は、タップ、スワイプ、フリック、ピンチ等の操作を検出する公知の機能を実現する。押圧検出部２０２は、タッチ押圧センサ１１７を用いて押圧検出処理を行う。押圧検出部２０２は、タッチ位置での押圧有無及び押圧の強さを検出する。
【００３９】
傾き角度検出部２０３は、加速度センサ１１２やジャイロセンサ１１３を用いて、携帯端末装置の傾きの角度の検出処理を行う。表示制御部２０４は、表示部１２１の表示画面２に対する入力操作に応じて、表示画面２の表示内容を制御する処理を行う。この処理は、スクロール表示動作等の制御処理を含む。振動制御部２０５は、振動発生部１０７を用いて携帯端末装置に振動を発生させる処理を行う。
【００４０】
なお、基本動作プログラム１０３ａにより実現される携帯端末装置のＯＳは、公知のグラフィカルユーザインタフェース制御部を含む。グラフィカルユーザインタフェース制御部は、表示画面２に対するタッチ入力操作を通じて入力情報を得る機能や、その入力情報に応じた制御処理に基づいて表示画面２への出力を制御する機能を実現する。
【００４１】
［外観及びコンテンツ表示］
図４は、携帯端末装置の外観、及びアプリケーション画面でのコンテンツ表示の例を示す。図４の左側は、表示画面２を持つ筐体１の前面の構成を示し、右側は背面の構成を示す。概略平板形状の筐体１の表面において、概略矩形の表示画面２を有する。表示画面２内には、コンテンツ表示情報４０１として、本例ではＷｅｂブラウザによるアプリケーション画面におけるＷｅｂページの一部の領域が表示されている。なお、Ｗｅｂページ内のテキストや画像等を、○，×，△，□等の記号で簡易的に図示している。コンテンツ内には、リンク等のオブジェクトが含まれている場合がある。本例では、×で示す領域と、△で示す領域との間に、ＵＲＬ等のリンク７が含まれている場合を簡易的に図示している。表示画面２内には、時計やアドレス等の情報を表示する領域４０２も設けられている。
【００４２】
筐体１には、第１映像入力部１２３に対応する前面のカメラユニット４２３、第２映像入力部１２４に対応する背面のカメラユニット４２４、音声出力部１３１のスピーカ４３１、音声入力部１３３のマイク４３３、等が設けられている。
【００４３】
筐体１には、操作キーとして、電源キーｋ１、ホームキーｋ２を有する。電源キーｋ１は、携帯端末装置の電源のオン／オフ、及びスタンバイ状態への移行／復帰の入力操作を可能とする。電源キーｋ１の所定時間以上の押下により電源のオン／オフが切り替えられる。電源キーｋ１の所定時間よりも短い時間の押下によりスタンバイ状態への移行または復帰が行われる。ホームキーｋ２は、後述の基本操作画面であるホーム画面の表示に関する入力操作を可能とする。アプリケーション画面が表示されている状態におけるホームキーｋ２の押下によりホーム画面の表示に切り替えられる。
【００４４】
ユーザは、表示画面２におけるアプリケーション画面内のコンテンツのリンク７等や、ホーム画面内のアイコン等のオブジェクトの箇所をタッチする入力操作を行う。これにより、携帯端末装置は、例えばリンク７に対応付けられているコンテンツの読み込み及び表示を行う。携帯端末装置は、例えばアイコンに対応付けられているアプリケーションの実行及びアプリケーション画面の表示を行う。
【００４５】
［タッチ押圧検出］
図５は、タッチ押圧センサ１１７を用いたタッチ位置座標や押圧の検出について示す。表示画面２及びタッチ押圧センサ１１７に対応した領域５００を有する。領域５００は、タッチ及び押圧の状態が検出可能な領域である。領域５００において、Ｘ方向及びＹ方向の平面における位置座標（Ｘ，Ｙ）を有する。領域５００において指によりタッチや押圧される点の位置を位置座標（Ｘ１，Ｙ１）として示す。領域５００の原点を左上の位置座標（０，０）とし、領域５００の横幅をＸｍ、縦幅をＹｍとする。
【００４６】
タッチ検出部２０１は、タッチ押圧センサ１１７を用いて、領域５００におけるタッチされた点の位置座標（Ｘ１，Ｙ１）を検出する。押圧検出部２０２は、タッチ押圧センサ１１７を用いて、タッチに伴って押圧された点における押圧の強さを検出する。押圧の強さをＰｎとする。また、タッチ検出部２０１は、タッチ押圧センサ１１７を用いて、領域５００において複数の指が同時にタッチされた場合におけるタッチ数及び各タッチ位置座標等を検出可能である。
【００４７】
なお、タッチ検出及び押圧検出の方式については特に限定されず、公知の方式を適用可能である。一例としては静電容量型のタッチ押圧検出方式が適用可能である。この方式では、表示画面に対する指の近接や押圧による静電容量変化を電圧値として検出し、その電圧値に基づいて計算によりタッチ位置座標や押圧の強さを得る。
【００４８】
［使用状態、傾き角度、操作］
図６は、ユーザが携帯端末装置を手に持って使用する状態、携帯端末装置の傾き角度、傾ける操作等について、ユーザ及び筐体１を横から見た状態で示す。この状態では、筐体１及び表示画面２に対応する平面が、水平面や垂直面に対して傾いている。この傾きの状態では、水平方向、水平面に対して、絶対的な傾きの角度θを有する。実施の形態１の携帯端末装置は、この角度θを検出して基準角度θ０として設定する。ユーザは、この基準角度θ０の状態から、スクロール等のために、筐体１を傾ける操作を行う。
【００４９】
図７は、図６に対応した傾ける操作等を、ユーザの視線で表示画面２の正面を見た状態で示す。図７の例では、表示画面２のＸ方向及びＹ方向の中央付近の点がタッチされている。また、その点が、手持ちによる携帯端末装置の支持の基準点であるとする。傾ける操作の際の回転軸は、Ｘ方向の軸であり、線７０１で示す。
【００５０】
図６及び図７で、基準角度θ０に対して更に傾ける操作をした時における絶対的な傾きの角度をθｎとする。角度θｎは、本例では表示画面２及びコンテンツのＹ方向に関する傾きの角度である。相対的な傾きの角度を表す量として、基準角度θ０と角度θｎとの差分値（θｎ−θ０）を有する。また、傾ける操作及び傾きの角度θｎに関して、正方向及び負方向を示す。正方向は、支持の基準点を固定とした場合に、表示画面２の上辺をユーザから見て手前へ傾ける場合の方向とし、負方向は、表示画面２の上辺をユーザから見て奥へ傾ける場合の方向とする。
【００５１】
［表示範囲変更制御、スクロール表示］
図８は、実施の形態１の携帯端末装置における表示範囲変更制御として、コンテンツのスクロール表示動作を示す。表示画面２内のアプリケーション画面において、コンテンツ８００が表示可能な領域８０１を含む。領域８０１に、コンテンツ８００の表示情報３の一部が表示範囲４として表示されている。コンテンツ８００は、Ｗｅｂページの例であり、実際のデータはＨＴＭＬ等により構成される。コンテンツ８００の表示情報３では、テキストや画像等の領域の間にリンク７を含んでいる場合を示す。コンテンツ８００の表示情報３は、アプリケーションにより、領域８０１の大きさに合わせて可変される。
【００５２】
領域８０１の大きさに対し、コンテンツ８００の表示情報３の全体のサイズ、即ち拡大縮小等が無い場合の標準サイズが大きい。そのため、表示情報３の全体を領域８０１に表示することができない。よって、領域８０１には、コンテンツ８００の表示情報３の一部が表示範囲４として表示される。表示範囲４は、コンテンツ８００の表示情報３が表示画面２の領域８０１に表示される際の範囲である。表示範囲４は、本例では、Ｗｅｂページの途中の領域である場合を示し、×で示す領域の一部、リンク７、△で示す領域の一部が含まれている。
【００５３】
ユーザは、領域８０１に表示されている表示範囲４の状態から、表示されていないコンテンツ８００の他の一部を閲覧等したい場合、従来ではスワイプやフリック等によりスクロールをさせる。本例では、表示情報３をＹ方向の上または下にスクロール可能である場合を示す。従来では、サイズが大きいコンテンツ８００を閲覧等したい場合、スワイプ等の操作を何回も繰り返す必要があり、手間が大きい。
【００５４】
一方、実施の形態１では、ユーザにより表示画面２の領域８０１を押圧して筐体１を傾ける操作により、領域８０１での表示範囲４をスクロールさせることができる。これにより、コンテンツ８００の表示情報３の表示範囲４を変更することができる。スクロール５は、第１方向スクロールであり、コンテンツ８００内での先頭や相対的に上方向へのスクロールを示す。スクロール５では、表示範囲４が上方向に移動され、領域８０１にはコンテンツ８００内での相対的に上方向の一部が表示される。スクロール６は、第２方向スクロールであり、コンテンツ８００内での末端や相対的に下方向へのスクロールを示す。スクロール６では、表示範囲４が下方向に移動され、領域８０１にはコンテンツ８００内での相対的に下方向の一部が表示される。
【００５５】
［表示制御］
実施の形態１の携帯端末装置における表示制御について以下である。携帯端末装置の表示制御部２０４は、表示画面２のアプリケーション画面でコンテンツを表示する場合に、ユーザによる特定のタッチ押圧操作及び筐体１を傾ける操作を受け付けて、表示範囲４をスクロールさせる、表示範囲変更制御を行う。
【００５６】
ユーザは、最初、図６のような手持ちの状態であり、図８のようにコンテンツ８００の一部を表示範囲４として閲覧しているとする。ユーザは、その状態から、コンテンツ８００の他の一部を閲覧等したい場合、まず、表示画面２の領域８０１を指によってタッチ及び押圧する。この際、ユーザは、ある程度以上の強さで押圧する。携帯端末装置は、その押圧の強さが所定の大きさ以上である場合、特有の制御モードへ移行させる。携帯端末装置は、その時の状態に対応した図６の角度θを検出し、基準角度θ０として設定する。基準角度θ０は、制御用に一時的に設定される角度である。
【００５７】
ユーザは、そのようにタッチ及び押圧した状態のまま、筐体１を所望の方向に傾ける操作をする。ユーザは、例えば上方向へのスクロール５をさせたい場合には、負方向へ傾ける操作をする。携帯端末装置は、その傾ける操作に応じて角度θｎを検出し、相対的な傾きの角度の量である差分値（θｎ−θ０）を検出する。携帯端末装置は、その角度θｎの大きさ、具体的には差分値（θｎ−θ０）を用いて、スクロールをさせるか否か及びそのスクロールの方向や速度等を決定する。携帯端末装置は、角度θｎの方向及び大きさに応じて、異なるスクロールとなるように制御する。このスクロール表示動作により、表示画面２の領域８０１での表示範囲４が変更される。
【００５８】
ユーザは、スクロールにより領域８０１に所望の表示範囲４が表示される状態になったら、指を離す。これにより、携帯端末装置は、その時点でスクロールを停止させる。即ち、領域８０１には、その時点の表示範囲４が表示される。ユーザは、その表示範囲４に対応するコンテンツ８００の他の一部を閲覧等できる。また、スクロールを停止して指を離した位置が、リンク７等のオブジェクトに該当する場合、携帯端末装置は、そのオブジェクトを実行する処理、例えばリンク７のコンテンツを読み込んで表示する処理を行う。
【００５９】
［制御フロー］
図９は、実施の形態１における表示範囲変更制御を実現する制御処理のフローを示す。基本動作実行部１０４ａ、特に表示制御部２０４は、図９のフローの処理を実行する。なお、このフローを実現するための制御状態であるモードとして、第１モード、第２モード、第３モードを有する。各モードの管理上の値を、０，１，２とする。モード＝０（第１モード）は初期状態を示す。モード＝１（第２モード）は、タッチ有りの状態であり、基準角度θ０を設定していない状態を示す。モード＝２（第３モード）は、所定の押圧有りの状態であり、基準角度θ０を設定した状態を示す。図９は、ステップS101〜S123を有する。以下、ステップの順に説明する。
【００６０】
（S101）  表示制御部２０４は、ユーザにより選択されたコンテンツを読み込む。表示制御部２０４は、最初、モードをモード＝０（第１モード）に設定する。
【００６１】
（S102）  表示制御部２０４は、表示画面２に、最初、コンテンツのうちの先頭、例えば図８の領域８２１、を表示する。なお、このような表示位置は、アプリケーションやコンテンツに応じて決まる。
【００６２】
（S103）  携帯端末装置は、操作部１０６やタッチ押圧センサ１１７を通じて、ユーザによる入力操作を受け付けて、それに対応する入力情報を取得する。表示制御部２０４は、タッチ検出部２０１を通じて、タッチ入力情報を取得する。その際、タッチ検出部２０１は、タッチ有無及びタッチ位置座標（Ｘ１，Ｙ１）を検出する。また、押圧検出部２０２は、押圧の有無及び押圧の強さＰｎを検出する。
【００６３】
（S104）  表示制御部２０４は、入力情報に基づいて、タッチ有無の判断により、処理を分岐させる。タッチ有りの場合（Ｙ）にはS105へ進み、タッチ無しの場合（Ｎ）にはS120へ進む。
【００６４】
（S105）  表示制御部２０４は、タッチ検出部２０１から、タッチ位置座標（Ｘ１，Ｙ１）を取得する。
【００６５】
（S106）  また、表示制御部２０４は、押圧検出部２０２から、タッチ位置における押圧の強さＰｎを取得する。
【００６６】
（S107）  表示制御部２０４は、S106で取得した押圧の強さＰｎを、所定の閾値Ｐｔと比較し、強さＰｎが閾値Ｐｔ以上であるか否かを判断し、処理を分岐させる。Ｐｎ≧Ｐｔの場合にはS110へ進み、Ｐｎ＜Ｐｔの場合にはS108へ進む。
【００６７】
（S108）  表示制御部２０４は、S105で取得したタッチ位置座標（Ｘ１，Ｙ１）をメモリに記憶して保持する。
【００６８】
（S109）  表示制御部２０４は、モードをモード＝１（第２モード）に設定し、S103に戻る。
【００６９】
（S110）  表示制御部２０４は、傾き角度検出部２０３により携帯端末装置の傾きの角度θｎを取得する。
【００７０】
（S111）  表示制御部２０４は、現在のモードがモード＝２（第３モード）であるか否かを確認し、分岐を行う。モード＝２（第３モード）の場合にはS115へ進み、否の場合にはS112へ進む。
【００７１】
（S112）  表示制御部２０４は、S110で取得した角度θｎを、基準角度θ０として設定する。
【００７２】
（S113）  表示制御部２０４は、基準角度θ０をメモリに記憶して保持する。
【００７３】
（S114）  表示制御部２０４は、モードをモード＝２（第３モード）に設定し、S103へ戻る。
【００７４】
（S115）  一方、モード＝２（第３モード）の場合、S115で、表示制御部２０４は、角度θｎと基準角度θ０との差分値の絶対値｜θｎ−θ０｜を所定の閾値θｔと比較し、閾値θｔ以上であるか否かを判断し、分岐を行う。｜θｎ−θ０｜≧θｔの場合にはS116へ進み、否の場合にはS103へ戻る。なお、差分値が０または殆ど０である場合、基準角度θ０の状態から変化していないことを表す。したがって、閾値θｔの設定により、ユーザが意図しないで微妙に傾き角度が変化した場合にスクロールするのを防止することができる。
【００７５】
（S116）  表示制御部２０４は、S106で取得した押圧の強さＰｎ等を用いて、スクロール表示動作に使用するためのスクロール速度Ｓｎを、下記（１）の式に従って設定する。
Ｓｎ＝Ｓ０×Ｐｎ／Ｐｔ      ・・・（１）
【００７６】
所定の基準スクロール速度をＳ０とする。基準スクロール速度Ｓ０は、実装上の固定の設定値としてもよいし、ユーザにより可変に設定可能な設定値としてもよい。（１）の式の場合、スクロール速度Ｓｎは、基準スクロール速度Ｓ０を、閾値Ｐｔに対する押圧の強さＰｎの大きさ（Ｐｎ／Ｐｔ）に応じて乗算で増大させるように決定される。即ち、ユーザによる押圧が強いほど、スクロール速度Ｓｎを大きくすることができる。
【００７７】
（S117）  次に、表示制御部２０４は、角度θｎと基準角度θ０との差分値（θｎ−θ０）の符号の正負を判断し、分岐を行う。正の場合（（θｎ−θ０）＞０）にはS118へ進み、負の場合（（θｎ−θ０）＜０）にはS119へ進む。
【００７８】
（S118）  表示制御部２０４は、正方向の傾きに対応して、S116で設定したスクロール速度Ｓｎを用いて、図８のスクロール６をさせる下方向スクロール処理を行い、その後、S103へ戻る。
【００７９】
（S119）  表示制御部２０４は、負方向の傾きに対応して、S116で設定したスクロール速度Ｓｎを用いて、図８のスクロール５をさせる上方向スクロール処理を行い、その後、S103へ戻る。
【００８０】
（S120）  一方、S104でタッチ無しの場合、S120で、表示制御部２０４は、現在のモードがモード＝１（第２モード）である否かを確認し、分岐を行う。モード＝１（第２モード）である場合にはS121へ進み、否の場合にはS123へ進む。
【００８１】
（S121）  表示制御部２０４は、表示画面２でのタッチ位置としてS108で記憶されたタッチ位置座標（Ｘ１，Ｙ１）と、表示画面２の表示情報３のうちのリンク７等のオブジェクトの位置とを比較する。表示制御部２０４は、それらの位置が一致するか否かにより、分岐を行う。一致の場合にはS122へ進み、不一致の場合にはS123へ進む。
【００８２】
（S122）  表示制御部２０４は、リンク７に対応付けられた処理を実行する。例えば、表示制御部２０４は、リンク７のＵＲＬで指定されるコンテンツを、インターネット上のサーバから取得して読み込み、表示画面２に表示する処理を行う。この場合、携帯端末装置は、Ａ１で示すように本フローのループを抜けて、新たなコンテンツについて、本フローの最初から同様に処理を行う。
【００８３】
（S123）  表示制御部２０４は、モードをモード＝０（第１モード）に設定し、S103に戻る。
【００８４】
［スクロール速度の設定］
図１０は、図９のステップS116に対応した、スクロール速度Ｓｎの設定に関する、押圧の強さＰｎとスクロール速度Ｓｎとの関係を示す。横軸は押圧の強さＰｎであり、例えば閾値Ｐｔ、２×Ｐｔ、３×Ｐｔの値を示す。縦軸はスクロール速度Ｓｎであり、例えば基準スクロール速度Ｓ０、２×Ｓ０、３×Ｓ０の値を示す。直線１００１は、（１）の式に対応する関数を示し、強さＰｎに応じてスクロール速度Ｓｎが線形に増加する。
【００８５】
［効果等］
上記のように、実施の形態１の携帯端末装置によれば、ユーザの様々な状態に対応して少ない手間でコンテンツ等の表示範囲の変更が実現でき、より好適な使い勝手を実現できる。携帯端末装置は、押圧の強さＰｎ及び相対的な傾きの角度θｎを用いて、スクロール表示制御により、コンテンツの表示範囲４を変更する。ユーザは、携帯端末装置の筐体１を、自分や状況に適した手持ちの状態、例えば片手で自然に持った状態とする。ユーザは、所望の時点で押圧によってその状態を基準角度θ０として設定できる。そして、ユーザは、そのまま筐体１を所望の方向へ傾ける操作により、コンテンツの表示情報をスクロールさせて表示範囲４を変えることができる。ユーザは、タッチ操作を何回も繰り返す必要無く、簡単な操作で素早く所望の表示範囲４を閲覧等することができる。ユーザは、一回の操作でスクロールにより所望の距離を移動させることができる。
【００８６】
所定の押圧をトリガとして制御モードに入り基準角度θ０が設定されるので、ユーザが意図せずにタッチが生じた場合に誤ってスクロールされることも無い。また、ユーザは、押圧の強さ等に応じてスクロール速度等も好みに調整できる。また、ユーザは、スクロール動作に連動させて、別途のタッチ操作を要せずに、素早くリンク等を実行させることもできる。
【００８７】
［変形例（１）］
実施の形態１の変形例として以下が可能である。表示範囲変更制御の対象となるコンテンツとして、Ｗｅｂページ等に限らず、写真画像等、各種が適用可能である。例えば、写真画像のサイズが大きい場合や拡大した場合、表示画面２に写真画像の一部が表示される。その際、実施の形態１のスクロールの制御等を同様に適用可能である。また、表示範囲変更制御としては、スクロール表示動作に限らず、拡大縮小動作等も適用可能である。例えば、携帯端末装置は、写真画像を表示し、ユーザが表示画面２を押圧したまま傾ける操作をすると、その傾きの角度に応じて、写真画像の表示サイズを拡大または縮小する。これにより、ユーザは、写真画像の所望の一部または全体を閲覧等できる。
【００８８】
［変形例（２）］
実施の形態１では、図１等のように、表示画面２及びコンテンツのＹ方向に関する傾きの角度を用いてＹ方向のスクロール表示動作を制御する場合を示したが、これに限らず可能である。表示画面２及びコンテンツのＸ方向に関する傾きの角度を用いて、Ｘ方向のスクロール表示動作を制御する形態も同様に可能である。また、上記Ｙ方向の制御と上記Ｘ方向の制御との両方を一緒に実行することにより、上下左右を含む全方向でのスクロール表示動作を制御する形態も可能である。このような各方向の制御は、実装上の固定の適用としてもよいし、ユーザ設定に応じて選択可能な適用としてもよいし、アプリケーションやコンテンツ等に応じて選択される適用としてもよい。例えば、写真や地図のように、比較的大きいサイズを持ち拡大縮小等が可能であるコンテンツを表示するアプリケーションの場合に、上記全方向の制御を適用する形態としてもよい。
【００８９】
実施の形態１では、制御の対応関係として、正方向の傾きの場合に下方向のスクロール６、負方向の傾きの場合に上方向のスクロール５としたが、逆の対応関係としてもよい。
【００９０】
実施の形態１のスクロール表示動作は、表示範囲４を連続的に変更する動作、例えば画素単位で滑らかに移動させる動作としたが、これに限らず適用可能である。例えば、一定の領域や距離毎に断続的にスクロールさせる動作も適用可能である。
【００９１】
［変形例（３）］
図９のステップS116では、スクロール速度Ｓｎを、押圧の強さＰｎに応じて変えるように決定したが、これに限らず可能である。下記（２）の式を用いて、スクロール速度Ｓｎを、角度θｎの大きさに応じて決定してもよい。
Ｓｎ＝Ｓ０×｜θｎ−θ０｜／θｔ      ・・・（２）
【００９２】
（２）の式の場合、閾値θｔに対する絶対値｜θｎ−θ０｜の大きさに応じて、基準スクロール速度Ｓ０を増加させるようにスクロール速度Ｓｎを決定している。この変形例の場合、スクロール速度Ｓｎの設定の際の関係は、図１０で、押圧の強さＰｎを、傾きの角度θｎに関する差分値の絶対値｜θｎ−θ０｜に代えたものとなる。
【００９３】
［変形例（４）］
図９のステップS116、図１０では、直線１００１のように線形の関数でスクロール速度Ｓｎを決定したが、これに限らず可能である。例えば、図１０の関数１００２のように、階段状の関数で決定してもよい。この関数１００２では、押圧の強さＰｎの範囲の区分に応じて、スクロール速度Ｓｎが一定値に決定される。また、スクロール速度Ｓｎの決定の際、予め規定された上限値や下限値を含む関数を適用し、その下限値から上限値までの範囲内で決定してもよい。また、線形の関数に限らず、非線形の関数を適用してもよい。
【００９４】
また、スクロール速度Ｓｎを、押圧の強さＰｎや角度θｎに依らずに一定値に設定してもよい。また、ユーザ設定によりスクロール速度Ｓｎを設定可能としてもよい。ユーザ設定手段としては、例えば表示画面２にユーザ設定画面等を表示してスクロール速度Ｓｎ等を設定する項目を設けてもよい。
【００９５】
図９のステップＳ107の押圧の強さＰｎに関する閾値Ｐｔ、あるいはステップS115の角度θｎに関する閾値θｔについては、実装上の固定の設定値としてもよいし、ユーザ設定により可変に設定可能な設定値としてもよい。ユーザ設定可能とする形態の場合、ユーザは自分が操作しやすい好適な設定にすることができる。
【００９６】
［変形例（５）］
所定の大きさ以上の押圧により基準角度θ０が設定されて特有の制御モードに移行した時点で、表示画面２内にその制御モードの状態を表す所定の情報を表示してもよい。これは表示に限らず、所定の音声出力や振動発生でもよい。また、指が離されてその制御モードが解除された時点で、その所定の情報の表示の消去や他の所定の出力をしてもよい。
【００９７】
また、所定の大きさ以上の押圧の強さをトリガとして制御モードに移行させる際に、更に、タッチ継続時間を条件として判断してもよい。即ち、所定の大きさ以上の押圧時のタッチ継続時間が所定の閾値以上である場合に、制御モードに移行させてもよい。
【００９８】
（実施の形態２）
図１１〜図１８を用いて、本発明の実施の形態２の携帯端末装置について説明する。実施の形態２等の基本的な構成は実施の形態１と同様であり、以下、実施の形態２における実施の形態１とは異なる構成部分について説明する。
【００９９】
［ホーム画面］
図１１は、実施の形態２における、表示画面２のホーム画面、及び複数のホーム画面の切り替えについて示す。実施の形態２の携帯端末装置は、特定のタッチ押圧操作に応じて、表示画面２で複数のホーム画面を切り替えて表示する。ホーム画面として、中身が異なる複数のホーム画面を有する。表示画面２内には基本的に１つのホーム画面が表示される。複数のホーム画面のうちの選択された１つのホーム画面が表示範囲４に相当する。１つのホーム画面では、背景上に、アプリケーションに対応付けられているアイコン９等が配置されている。ユーザがアイコン９を選択操作することにより、対応するアプリケーション画面に遷移する。
【０１００】
本例では、複数のホーム画面として、ホーム画面Ｈ１〜Ｈ５を有する。ホーム画面Ｈ１〜Ｈ５は、携帯端末装置のＯＳにより、情報として仮想的にレイヤ状の配置で管理されている。即ち、ホーム画面Ｈ１〜Ｈ５は、レイヤＬ１〜Ｌ５として管理されている。例えば、ホーム画面Ｈ１は、トップのレイヤＬ１であり、手前側に配置されている。ホーム画面Ｈ５は、ボトムのレイヤＬ５であり、奥側に配置されている。ホーム画面及びレイヤの数は、必要に応じて増減される。なお、ボトムのレイヤはトップのレイヤにループするようにつながっていてもよい。
【０１０１】
ホーム画面Ｈ１〜Ｈ５は、例えばジャンルで分けられている場合を示す。例えば、ホーム画面Ｈ１では、下部に、メール、ＳＮＳ、チャット等の通信関係のジャンルのアプリケーションに対応する３個のアイコン９が配置されている。例えば、ホーム画面Ｈ２は、ゲーム等のジャンルのアイコンが配置されている。複数のホーム画面は、ユーザによる設定も可能である。また、１つのホーム画面に複数のアイコンが収まらない場合に自動的に複数のホーム画面に分けられる場合もある。
【０１０２】
［表示制御］
図１２は、実施の形態２の表示制御として、ホーム画面に対するタッチ押圧操作、及び画面切り替え表示動作を示す。実施の形態２の携帯端末装置は、ユーザによる特定のタッチ押圧操作を受け付けて、表示範囲変更制御として、表示画面２での複数のホーム画面の画面切り替えを制御する。表示範囲変更制御の対象は、実施の形態１ではコンテンツ表示情報であったが、実施の形態２では複数のホーム画面である。
【０１０３】
実施の形態１等は、ユーザが片手で携帯端末装置を操作可能である場合を示している。一方、実施の形態２では、ユーザが両手で携帯端末装置を操作する場合を示す。ユーザは、図７と同様に、図示しない左手で携帯端末装置を持っているとする。そして、ユーザは、図１２のように、右手の指で表示画面２内の箇所をタッチ及び押圧するとする。実施の形態２では、タッチ押圧操作として、一本指、二本指を使い分ける。タッチ検出部２０１及び押圧検出部２０２は、タッチ押圧センサ１１７を用いて、表示画面２での一本指でのタッチ押圧、二本指でのタッチ押圧を、区別して検出する。即ち、表示画面２内の一箇所で所定の大きさ以上の押圧有りの状態と、表示画面２内で二箇所が同時に所定の大きさ以上の押圧有りの状態と、が検出される。
【０１０４】
上記二種類のタッチ押圧操作の使い分けに応じて、表示制御部２０４は、二種類の画面切り替え動作を適用する。表示制御部２０４は、図１２のように、画面切り替えの方向として、第１方向、第２方向を制御する。対応関係として、一本指の押圧の場合には、第１方向、例えばレイヤ下降方向での画面切り替えとし、二本指の押圧の場合には、第２方向、例えばレイヤ上昇方向での画面切り替えとする。
【０１０５】
図１２の上側に示すように、表示制御部２０４は、一本指での所定の大きさ以上の押圧が検出されている間は、複数のホーム画面を、第１方向であるレイヤ下降方向で、順次に切り替える。即ち、押圧が保持されている状態で、表示画面２に表示範囲４として表示される１つのホーム画面は、手前のトップのレイヤＬ１から奥のボトムのレイヤＬ５の方向へ順次に切り替えられる。
【０１０６】
図１２の下側に示すように、表示制御部２０４は、二本指での所定の大きさ以上の押圧が検出されている間は、複数のホーム画面を、第２方向であるレイヤ上昇方向で、順次に切り替える。即ち、押圧が保持されている状態で、表示画面２に表示範囲４として表示される１つのホーム画面は、奥のボトムのレイヤＬ５から手前のトップのレイヤＬ１の方向へ順次に切り替えられる。
【０１０７】
また、ユーザは、上記画面切り替えにより、所望のホーム画面に切り替えられた状態になった時に、表示画面２から指を離し、押圧無しの状態にする。その時点で、表示制御部２０４は、画面切り替えを停止させる。
【０１０８】
［制御フロー（１）］
図１３は、実施の形態２の携帯端末装置の表示制御部２０４による制御処理のフローを示す。図１３はステップS201〜S217を有する。以下、ステップの順に説明する。実施の形態２では、モードとして、第１モード、第２モード、第３モード、第４モードを有する。なお、各実施の形態でモードは独立しており意味は異なる。
【０１０９】
（S201）  表示制御部２０４は、モードをモード＝０（第１モード）に設定する。
【０１１０】
(S202)  表示画面２に表示する１つのホーム画面のレイヤを、レイヤＬｎとする。表示制御部２０４は、最初、レイヤＬｎを、トップのレイヤＬ１に設定する。
【０１１１】
(S203)  表示制御部２０４は、設定されているレイヤＬｎに対応するホーム画面を、表示画面２に表示する。最初はレイヤＬ１に対応するホーム画面Ｈ１が表示される。
【０１１２】
（S204）  表示制御部２０４は、操作部１０６やタッチ押圧センサ１１７を通じて、タッチ押圧操作を受け付ける。
【０１１３】
（S205）  表示制御部２０４は、タッチ有無に応じて、分岐を行う。タッチ有りの場合にはS206へ進み、タッチ無しの場合にはS214へ進む。
【０１１４】
（S206）  表示制御部２０４は、タッチ検出部２０１により検出されたタッチ位置座標（Ｘ１，Ｙ１）を含むタッチ入力情報を取得する。このタッチ入力情報は、一本指、二本指のタッチの区別の情報を含む。
【０１１５】
（S207）  表示制御部２０４は、押圧検出部２０２により検出された押圧の強さＰｎを取得する。
【０１１６】
（S208）  表示制御部２０４は、押圧の強さＰｎが閾値Ｐｔ以上か否かを判断し、分岐を行う。Ｐｎ≧Ｐｔの場合にはS211へ進み、Ｐｎ＜Ｐｔの場合にはS209へ進む。
【０１１７】
（S209）  表示制御部２０４は、タッチ位置座標（Ｘ１，Ｙ１）をメモリに記憶して保持する。
【０１１８】
（S210）  表示制御部２０４は、モードをモード＝１（第２モード）に設定し、S203へ戻る。
【０１１９】
（S211）  一方、S211では、表示制御部２０４は、S206で取得したタッチ入力情報に基づいて、タッチ位置が一箇所か二箇所か、タッチ箇所の数を判断し、分岐を行う。一箇所のタッチの場合にはS212へ進み、二箇所のタッチの場合にはS213へ進む。
【０１２０】
（S212）  表示制御部２０４は、一箇所のタッチに対応した、第１方向画面切り替えとして、レイヤ下降処理を行う。表示制御部２０４は、その中で必要に応じてレイヤＬｎの設定を更新し、S203へ戻る。
【０１２１】
（S213）  表示制御部２０４は、二箇所のタッチに対応した、第２方向画面切り替えとして、レイヤ上昇処理を行う。表示制御部２０４は、その中で必要に応じてレイヤＬｎの設定を更新し、S203へ戻る。
【０１２２】
（S214）  一方、S205でタッチ無しの場合、S214で、表示制御部２０４は、モードがモード＝１（第２モード）であるか否かを確認し、分岐を行う。モード＝１（第２モード）の場合にはS215へ進み、否の場合にはS217へ進む。
【０１２３】
（S215）  表示制御部２０４は、S209で記憶したタッチ位置座標（Ｘ１，Ｙ１）と、表示画面２に表示されているホーム画面におけるアイコンの位置とが一致するか否かを判断し、分岐を行う。タッチ位置がアイコン位置に該当する場合にはS216へ進み、該当しない場合にはS217へ進む。
【０１２４】
（S216）  表示制御部２０４は、該当するアイコン位置に対応付けられているアプリケーションを実行する処理を行う。そして、Ａ２のように本フローのループを抜け、実行されるアプリケーションのアプリケーション画面の処理へ遷移する。
【０１２５】
（S217）  表示制御部２０４は、モードをモード＝０（第１モード）に設定し、S203に戻る。
【０１２６】
［制御フロー（２）］
図１４は、図１３のステップS212のレイヤ下降処理の詳細を示す。この処理は、ステップS221〜S229を有する。制御上、モード＝２（第３モード）を有する。第３モードは、レイヤ下降処理を表す。
【０１２７】
（S221）  表示制御部２０４は、現在のモードがモード＝２（第３モード）であるか否かを確認し、分岐を行う。モード＝２（第３モード）である場合にはS224へ進み、否の場合にはS222へ進む。
【０１２８】
（S222）  表示制御部２０４は、モードをモード＝２（第３モード）に設定する。
【０１２９】
（S223）  表示制御部２０４は、タイマを起動して時間を計測する。タイマの計測時間の値をＴｎとする。そして、S212のレイヤ下降処理を終了する。この値Ｔｎは、ユーザにより表示画面２のタッチ押圧状態が保持されている時間に相当する。
【０１３０】
（S224）  表示制御部２０４は、タイマの値Ｔｎが、所定の時間の閾値Ｔ０以上であるか否かを判断し、分岐を行う。値Ｔｎが閾値Ｔ０以上である場合にはS225へ進み、否の場合には、S212のレイヤ下降処理を終了する。
【０１３１】
（S225）  表示制御部２０４は、表示画面２に表示されているホーム画面のレイヤＬｎが、ボトムのレイヤ（例えばレイヤＬ５）であるか否かを判断し、分岐を行う。ボトムのレイヤである場合にはS226へ進み、否の場合にはS227へ進む。
【０１３２】
（S226）  表示制御部２０４は、振動制御部２０５を用いて、所定の第１振動パターンを発生させる。これにより、ユーザに、現在表示中のホーム画面がボトムのレイヤＬ５に対応するホーム画面Ｈ５になったことを伝える。そして、S212のレイヤ下降処理を終了する。
【０１３３】
（S227）  表示制御部２０４は、表示画面２に表示するレイヤＬｎを下降させるように１増加させる。例えば、レイヤＬｎは、最初のレイヤＬ１から次のレイヤＬ２となる。
【０１３４】
（S228）  表示制御部２０４は、振動制御部２０５を用いて、所定の第２振動パターンを発生させる。これにより、ユーザに、現在表示中のホーム画面がボトム以外のレイヤに対応するホーム画面になったことを伝える。表示制御部２０４は、例えば、ボトムの画面に切り替えた場合、第１振動として第２振動よりも大きい振動を発生させる。
【０１３５】
（S229）  その後、表示制御部２０４は、タイマを再度起動し、S212のレイヤ下降処理を終了する。
【０１３６】
［制御フロー（３）］
図１５は、図１３のステップS213のレイヤ上昇処理の詳細を示す。ステップS231〜239を有する。本処理は、基本的には図１４のレイヤ下降処理と同様の考え方である。制御上、モード＝３（第４モード）を有する。第４モードは、レイヤ上昇処理を表す。
【０１３７】
S231で、表示制御部２０４は、現在のモードがモード＝３（第４モード）であるか否かを確認し、分岐を行う。モード＝３（第４モード）である場合にはS234へ進み、否の場合にはS232へ進む。S232で、表示制御部２０４は、モードをモード＝３（第４モード）に設定する。S233で、表示制御部２０４は、タイマを起動して時間を計測し、S213のレイヤ上昇処理を終了する。S234で、表示制御部２０４は、値Ｔｎが閾値Ｔ０以上であるか否かを判断し、分岐を行う。値Ｔｎが閾値Ｔ０以上である場合にはS235へ進み、否の場合には、S213のレイヤ上昇処理を終了する。
【０１３８】
S235で、表示制御部２０４は、現在表示画面２に表示されているホーム画面のレイヤＬｎがトップのレイヤＬ１であるか否かを判断し、分岐を行う。トップのレイヤＬ１である場合にはS236へ進み、否の場合にはS237へ進む。S236で、表示制御部２０４は、振動制御部２０５を用いて、所定の第１振動パターンを発生させる。これにより、ユーザに、現在表示中のホーム画面がトップのレイヤＬ１に対応するホーム画面Ｈ１になったことを伝える。そして、S213のレイヤ上昇処理を終了する。
【０１３９】
S237で、表示制御部２０４は、表示画面２に表示するレイヤＬｎを上昇させるように１減少させる。S238で、表示制御部２０４は、振動制御部２０５を用いて、所定の第２振動パターンを発生させる。これにより、ユーザに、現在表示中のホーム画面がトップ以外のレイヤに対応するホーム画面になったことを伝える。表示制御部２０４は、例えば、トップの画面に切り替えた場合、第１振動として第２振動よりも大きい振動を発生させる。S239で、表示制御部２０４は、タイマを再度起動し、S213のレイヤ上昇処理を終了する。
【０１４０】
［効果等］
上記のように、実施の形態２では、図１２のように、表示画面２を一本指または二本指で押圧する操作により、複数のホーム画面を第１方向または第２方向で切り替えて表示することができる。ユーザは、複数のホーム画面から所望のホーム画面を選択する際に、スワイプ等の操作を何回も行う必要無く、１回の操作のみで容易に切り替え可能である。また、画面切り替え毎に振動が発生するので、ユーザは、画面切り替えの状態を認識しやすい。
【０１４１】
［変形例（１）］
実施の形態２の変形例として以下が可能である。二本指の二箇所同時のタッチ検出に限らず、複数指による複数箇所同時のタッチ検出を利用してもよい。制御の対応関係としては、一本指の場合にレイヤ上昇、二本指の場合にレイヤ下降としてもよい。また、複数の画面のレイヤ状の配置に限らず、Ｘ方向やＹ方向に並列の配置の場合にも適用可能である。また、図１４及び図１５の振動発生のステップを省略した形態でもよい。第１振動パターンと第２振動パターンに分けずに１つの振動パターンでもよい。また、振動発生に限らず、所定の文字や画像の表示、所定の音声出力、等に代えてもよい。
【０１４２】
［変形例（２）］
図１６は、変形例における表示画面２の表示状態を示す。図１６のように、表示画面２内に複数の画面がレイヤ状や並列で配置されて表示される場合がある。その場合に、変形例として、実施の形態２と同様の制御を適用可能である。例えば、通常のホーム画面の状態から、ホームキーｋ２の２回押下により、図１６の左側のような複数の画面のレイヤ表示状態へ遷移する。本例では、複数のアプリケーション画面Ｇ１〜Ｇ４等のレイヤ状の配置の場合を示す。左側の状態では、アプリケーション画面Ｇ１がレイヤＬ１として最も手前に来た状態で表示されている。この状態から例えば一本指で押圧されると、レイヤ下降により、図１６の右側のレイヤ表示状態に切り替えられる。この状態では、アプリケーション画面Ｇ２がレイヤＬ１として最も手前に来た状態で表示されている。
【０１４３】
［変形例（３）］
表示範囲変更制御の対象となる情報としては、複数のホーム画面に限らず、複数のアプリケーション画面等についても同様に適用可能である。
【０１４４】
図１７は、変更制御の対象として、アプリケーション画面内のコンテンツ履歴情報とする場合を示す。時系列でコンテンツ履歴情報を有し、例えばＷｅｂページの閲覧履歴情報に対応する履歴画面Ｅ１〜Ｅ３等を示す。例えば、最新の履歴画面Ｅ１が表示範囲４となっている。実施の形態１のように押圧して傾きをＹ方向で変える操作、実施の形態２のように一本指または二本指で押圧する操作等により、履歴画面Ｅ１〜Ｅ３等を、現在から過去または過去から現在の方向へ切り替えて表示させる。
【０１４５】
図１８は、変更制御の対象として、アプリケーション画面内のコンテンツ、例えば電子書籍を構成する、複数のページ情報とする場合を示す。複数のページ情報として、例えば各ページに対応するページ画面ｐ１〜ｐ３等を示す。例えば、先頭のページ画面ｐ１が表示範囲４となっている。同様に、押圧して傾きをＸ方向で変える操作、一本指または二本指で押圧する操作等により、ページ画面ｐ１〜ｐ３等を所望の方向へ切り替えて表示できる。
【０１４６】
（実施の形態３）
図１９〜図２２を用いて、本発明の実施の形態３の携帯端末装置について説明する。以下、実施の形態３における実施の形態１等とは異なる構成部分について説明する。実施の形態３では、実施の形態２と同様に複数のホーム画面の切り替えを制御する場合を示す。
【０１４７】
［表示制御］
図１９は、実施の形態３の表示制御について示す。ユーザは、二種類のタッチ押圧操作を使い分ける。携帯端末装置は、表示画面２内、即ちホーム画面の領域内に、上側領域Ｒ１と下側領域Ｒ２との二種類の領域を区分して設ける。二種類のタッチ押圧操作として、上側領域Ｒ１内の箇所を押圧する第１操作と、下側領域Ｒ２内の箇所を押圧する第２操作とを有する。図１９の上側に示すように、第１操作がされた場合、携帯端末装置は、実施の形態２の図１２の上側の動作と同様に、第１方向で画面切り替えを行う。図１９の下側に示すように、第２操作がされた場合、携帯端末装置は、図１２の下側の動作と同様に、第２方向で画面切り替えを行う。なお、一点鎖線で示す境界線１９０は、上側領域Ｒ１と下側領域Ｒ２との境界線であり、表示画面２内には表示されない。
【０１４８】
［制御フロー（１）］
図２０は、実施の形態３における表示制御部２０４の制御処理のフローを示す。ステップS301〜S317を有する。図２０で、実施の形態２の図１３のフローと主に異なる部分は、ステップS311〜S313の部分である。S308で、押圧の強さＰｎが閾値Ｐｔ以上である場合にはS311へ進む。制御上、第１モードから第４モードまでを有する。
【０１４９】
（S311）  表示制御部２０４は、S306で取得されたタッチ位置座標（Ｘ１，Ｙ１）で示すタッチ押圧位置が、上側領域Ｒ１内か下側領域Ｒ２内かを判断する。例えば、表示制御部２０４は、値Ｙ１が、縦幅Ｙｍの半分の値（Ｙｍ／２）と比べて小さい場合には上側領域Ｒ１内、大きい場合には下側領域Ｒ２内であると判断する。表示制御部２０４は、それら二種類の領域の区別に応じて、分岐を行う。上側領域Ｒ１の場合にはS312へ進み、下側領域Ｒ２の場合にはS313へ進む。
【０１５０】
（S312）  表示制御部２０４は、上側領域Ｒ１に対応した第１方向画面切り替えとしてレイヤ下降処理を行い、その中で必要に応じてレイヤＬｎの設定を更新し、S303へ戻る。
【０１５１】
（S313）  表示制御部２０４は、下側領域Ｒ２に対応した第２方向画面切り替えとしてレイヤ上昇処理を行い、その中で必要に応じてレイヤＬｎの設定を更新し、S303へ戻る。
【０１５２】
［制御フロー（２）］
図２０のS312，S313の詳細処理は以下である。この処理は、基本的には図１４及び図１５と同様であり、異なる部分について以下である。図１４のS224及び図１５のS234では、第３モードや第４モードである場合に、タイマの時間の値Ｔｎが閾値Ｔ０以上であるかを判断した。実施の形態３では、図１４のS224及び図１５のS234に代えて、以下の処理を行う。
【０１５３】
表示制御部２０４は、まず、下記（３）の式に基づいて、画面切り替え表示動作におけるレイヤＬｎの更新に関する時間間隔Ｋｎを決定する。
Ｋｎ＝Ｋ０×Ｐｔ／Ｐｎ      ・・・（３）
【０１５４】
（３）の式で、求める時間間隔をＫｎとする。基準となる所定の時間間隔をＫ０とする。表示制御部２０４は、押圧の強さＰｎ、押圧の閾値Ｐｔを用いる。なお、Ｐｔ等の具体的な値は実施の形態毎に異なる。（３）の式では、時間間隔Ｋ０を、押圧の強さＰｎに対する閾値Ｐｔの大きさ（Ｐｔ／Ｐｎ）に応じて、減少させるようにして、時間間隔Ｋｎを計算している。即ち、押圧の強さＰｎが大きいほど、時間間隔Ｋｎが短くなるように決定される。表示制御部２０４は、その時間間隔Ｋｎを、タイマの時間の値Ｔｎに関する閾値Ｔ０として用いる。
【０１５５】
次に、表示制御部２０４は、タイマの時間の値Ｔｎを、閾値Ｔ０である時間間隔Ｋｎと比較して、分岐を行う。値Ｔｎが時間間隔Ｋｎ以上である場合にはS225あるいはS235へ進み、否の場合には処理を終了する。
【０１５６】
上記のように、実施の形態３では、画面切り替えの際のレイヤ更新に関する時間間隔を、押圧の強さＰｎに応じて可変で設定する。
【０１５７】
［時間間隔の設定］
図２１は、上記時間間隔Ｋｎの設定に関する、押圧の強さＰｎと時間間隔Ｋｎとの関係を示す。実施の形態３では、（３）の式に従う曲線２１０１により時間間隔Ｋｎが決定される。曲線２１０１は、非線形の関数であり、ＰｎをＰｔよりも大きくしてゆくと、最初は急峻にＫｎを減少させ、その後次第に緩やかにＫｎを減少させる。
【０１５８】
なお、変形例として、関数２１０２のように階段状の関係を適用してもよいし、線形の関数を適用してもよい。関数２１０２では、時間間隔Ｋｎは、Ｐｎの範囲毎の一定値として決定される。時間間隔Ｋｎは、上限値や下限値が規定されてもよい。時間間隔Ｋｎは、押圧の強さＰｎに依らずに一定値としてもよいし、ユーザ設定値としてもよい。
【０１５９】
［片手操作］
図２２は、実施の形態３における左右の手に応じた操作を示す。（ａ）は、左手で上側領域Ｒ１を押圧する第１操作を示す。（ｂ）は、左手で下側領域Ｒ２を押圧する第２操作を示す。（ｃ）は、右手で上側領域Ｒ１を押圧する第１操作を示す。（ｄ）は、右手で下側領域Ｒ２を押圧する第２操作を示す。実施の形態３は、このように左手のみの操作及び右手のみの操作の両方の片手操作に対応可能な機能を有している。ユーザは、いずれの片手操作も選択可能である。なお、実施の形態１等でも同様に、両方の片手操作に対応可能な機能を有する。実施の形態２では、両手及び二本指を用いる。
【０１６０】
［効果等］
上記のように、実施の形態３では、ユーザは、表示画面２の上側領域Ｒ１または下側領域Ｒ２の押圧の操作により、複数のホーム画面を切り替えて表示させることができる。これにより、実施の形態２と同様に、何回もタッチ入力操作を行う必要無く、容易に所望のホーム画面へ切り替えることができる。
【０１６１】
［変形例］
実施の形態３の変形例として以下が可能である。制御の対応関係としては、上側領域Ｒ１の場合にレイヤ上昇、下側領域Ｒ２の場合にレイヤ下降としてもよい。
【０１６２】
上側領域Ｒ１と下側領域Ｒ２との二種類の領域、境界線１９０の位置は、実装上の固定の設定値としてもよいし、ユーザ設定可能な可変の設定値としてもよい。ユーザ設定の場合、ユーザの手指の大きさ等に応じて、ユーザが操作しやすい好適な領域を設定可能である。ユーザ設定手段としては、例えばユーザ設定画面で上側領域Ｒ１と下側領域Ｒ２との境界線を表示し、ユーザ入力操作に応じてその境界線を移動させて、ユーザの所望の位置に設定してもよい。あるいは、ユーザ設定画面で、ユーザにより所望の二箇所をタッチ押圧してもらう。携帯端末装置は、それらの位置や押圧等の情報を取得し、それらの位置の中間に、二種類の領域の境界線を設定する。他の実施の形態における操作についても同様にユーザ設定を可能としてもよい。
【０１６３】
また、上記二種類の領域に限らず、適用可能である。例えば、表示画面２内を、左側領域と右側領域との二種類の領域に区分してもよい。この場合、左側領域を押下する第１操作と、右側領域を押下する第２操作とを有する。第１操作及び第２操作に応じて、画面切り替えの方向等を異ならせる。例えば、複数のアプリケーション画面や複数のアイコン等が、Ｘ方向で並列に配置されているとする。第１操作の場合には左方向への画面切り替えやスクロールとし、第２操作の場合には右方向への画面切り替えやスクロールとする。また、表示画面２内の任意の位置に任意の大きさで二種類の領域を設定してもよい。
（実施の形態４）
【０１６４】
図２３〜図２５を用いて、本発明の実施の形態４の携帯端末装置について説明する。以下、実施の形態４における実施の形態１等とは異なる構成部分について説明する。実施の形態４では、表示範囲変更制御の対象として、ホーム画面内に表示される複数のアイコンとし、複数のアイコンの配置変更制御を行う。
【０１６５】
［制御概要及びアイコン配置］
図２３は、実施の形態４における表示制御の概要として、ホーム画面における複数のアイコンの配置の表示例を示す。なお、ユーザが筐体１を左手で持った状態で、その親指により操作する場合を示す。
【０１６６】
図２３の（ａ）は、第１配置状態を示す。表示画面２でホーム画面を表示する領域内に、複数のアイコン９が、Ｘ方向及びＹ方向に並列で行列状に配置されている。本例では、８個のアプリケーションに対応付けられた８個のアイコン９が、下辺付近の領域に配置されている場合を示す。８個のアイコン９を、識別のため、「App1」〜「App8」で示す。
【０１６７】
図２３の（ｂ）は、第２配置状態を示す。第２配置状態では、複数のアイコン９が、円形、リング状に配置され、かつ、そのリングにおいて複数のアイコン９が円周上を回転するように移動する。また、アイコン９群の移動については、実施の形態２等と同様に、所定の時間間隔毎に移動される。実施の形態４では、表示画面２内の所定の位置を中心点Ｑ０としてリングが配置される。
【０１６８】
実施の形態４では、表示画面２内の箇所を所定の大きさ以上で押圧する押圧操作を受け付ける。その押圧の位置は、表示画面２内の任意位置とする。なお、その押圧の位置は、特にアイコン９上の位置としてもよいし、アイコン９以外の領域の位置としてもよい。携帯端末装置は、所定の押圧操作に応じて、ホーム画面の表示状態、即ちアイコン配置を変更する制御を行う。携帯端末装置は、その変更制御として、第１配置状態から第２配置状態へ遷移させる。そして、第２配置状態で、携帯端末装置は、押圧が保持されている状態で、リングの複数のアイコンを所定の方向で回転させるように移動させる。
【０１６９】
また、携帯端末装置は、所定の操作、即ち指を離して押圧無しにする操作に応じて、アイコンの回転を停止させ、その離した位置に該当するアイコンを自動的に選択して実行させる。ユーザは、最初に押圧した位置から所定の大きさ以上の押圧を維持したまま位置をずらしてもよい。例えば、ユーザは、所望のアイコンの位置へ指をずらし、その位置で指を離す。これにより、携帯端末装置は、その位置のアイコンを選択する。あるいは、ユーザは、アイコンが無い位置へ指をずらし、その位置で指を離す。これにより、携帯端末装置は、アイコンを選択せずに第１配置状態へ戻す。
【０１７０】
［制御フロー（１）］
図２４は、実施の形態４における表示制御部２０４の制御処理のフローを示す。ステップS401〜S415を有する。制御上、第１モードから第３モードまでを有する。主に特徴的な処理の部分としてS410及びS415を有する。
【０１７１】
（S401）  表示制御部２０４は、モードをモード＝０（第１モード）に設定する。
【０１７２】
（S402）  表示制御部２０４は、表示画面２に、ホーム画面を、図２３の（ａ）のように第１配置状態で表示する。
【０１７３】
（S403）  表示制御部２０４は、ユーザ入力操作を受け付ける。
【０１７４】
（S404）  表示制御部２０４は、タッチ有無に応じて分岐を行う。タッチ有りの場合にはS405へ進み、タッチ無しの場合にはS411へ進む。
【０１７５】
（S405）  表示制御部２０４は、タッチ位置座標（Ｘ１，Ｙ１）を取得する。
【０１７６】
（S406）  表示制御部２０４は、押圧の強さＰｎを取得する。
【０１７７】
（S407）  表示制御部２０４は、押圧の強さＰｎが閾値Ｐｔ以上であるか否かを判断し、分岐を行う。Ｐｎ≧Ｐｔの場合にはS410へ進み、Ｐｎ＜Ｐｔの場合にはS408へ進む。
【０１７８】
（S408）  表示制御部２０４は、タッチ位置座標（Ｘ１，Ｙ１）をメモリに記憶して保持する。
【０１７９】
（S409）  表示制御部２０４は、モードをモード＝１（第２モード）に設定し、S403へ戻る。
【０１８０】
（S410）  表示制御部２０４は、アイコン配置変更処理を行う。即ち、表示制御部２０４は、表示画面２のアイコン配置状態を、第１配置状態から第２配置状態へ遷移させる。この処理の詳細は図２５に示される。この処理の後、S403へ戻る。
【０１８１】
（S411）  一方、S404でタッチ無しの場合、S411で、表示制御部２０４は、モードがモード＝１（第２モード）であるかを確認し、分岐を行う。モード＝１（第２モード）である場合にはS412へ進み、否の場合にはS414へ進む。
【０１８２】
（S412）  表示制御部２０４は、S408で記憶されたタッチ位置座標（Ｘ１，Ｙ１）と、ホーム画面内のアイコンの位置とを比較して一致するか否かを判断し、分岐を行う。タッチ位置、即ち押圧が保持されている位置が、アイコン位置に該当する場合にはS413へ進み、該当しない場合にはS414へ進む。
【０１８３】
（S413）  表示制御部２０４は、該当するアイコンに対応付けられたアプリケーションを実行する処理を行う。その後、Ａ４のように、本フローのループを抜けて、実行先のアプリケーションの処理へ遷移する。
【０１８４】
（S414）  表示制御部２０４は、モードをモード＝０（第１モード）に設定し、S415へ進む。
【０１８５】
（S415）  表示制御部２０４は、アイコン配置復帰処理を行う。即ち、表示制御部２０４は、アイコン配置状態を、第２配置状態から第１配置状態へ遷移させる。そして、S403へ戻る。
【０１８６】
［制御フロー（２）］
図２５は、ステップS410のアイコン配置変更処理の詳細を示す。ステップS421〜S428を有する。特徴的な処理の部分としてS423やS427を含む。
【０１８７】
（S421）  表示制御部２０４は、モードがモード＝２（第３モード）であるか否かを確認し、分岐を行う。モード＝２（第３モード）である場合にはS425へ進み、否の場合にはS422へ進む。
【０１８８】
（S422）  表示制御部２０４は、モードをモード＝２（第３モード）に設定する。
【０１８９】
（S423）  表示制御部２０４は、アイコン配置回転表示処理を行う。表示制御部２０４は、図２３の（ｂ）のように、複数のアイコンをリング状に配置する。中心点Ｑ０に基づいてリングが配置される。最初の状態では、例えば、アイコン「App1」を、所定の位置、本例では上端（時計の１２時）の位置に配置し、そこから右回りにアイコン「App2」以下を順次に等間隔で配置する。等間隔はアイコン数に応じて決まる。
【０１９０】
あるいは、表示制御部２０４は、押圧の位置に一番近いアイコン（例えば（ａ）の「App2」）を、リング上の一番近い位置（例えば（ｂ）の「App8」の位置）に配置してもよい。なお、アイコン数によっては、リングの大きさを変える、アイコンのサイズを変える、リングのうちの一部を表示画面２内に表示する等、調整してもよい。
【０１９１】
（S424）  表示制御部２０４は、タイマを起動して時間を値Ｔｎとして計測し、本フローを終了する。
【０１９２】
（S425）  一方、モード＝２（第３モード）である場合、S425で、表示制御部２０４は、実施の形態３と同様に、時間間隔Ｋｎを設定する。即ち、前述の（３）の式に基づいて、Ｋｎ＝Ｋ０×Ｐｔ／Ｐｎとして計算する。この時間間隔Ｋｎは、アイコンの所定距離の移動の際の時間間隔として用いられる。具体的な値は実施の形態３とは異なる。前述のように、押圧の強さＰｎに応じて時間間隔Ｋｎが減少するので、その分、アイコンの位置がより速く切り替えられることになる。
【０１９３】
（S426）  表示制御部２０４は、タイマの値Ｔｎが、閾値Ｔ０である時間間隔Ｋｎ以上であるか否かを判断し、分岐を行う。Ｔｎ≧Ｋｎである場合にはS427へ進み、否の場合には本フローを終了する。
【０１９４】
（S427）  表示制御部２０４は、第２配置状態におけるアイコン配置移動処理を行う。表示制御部２０４は、リングの円周に配置されているアイコン群の表示として、アイコン毎に所定の方向（右回り）で所定の等間隔の距離の単位で移動させる。例えば、図２３の（ｂ）で最初に上端の位置にあったアイコン「App1」は、アイコン「App2」の位置へ移動される。同様に、各アイコンは、１つ先のアイコンの位置へ移動される。
【０１９５】
（S428）  表示制御部２０４は、タイマを再度起動させて、本フローを終了する。
【０１９６】
［効果等］
上記のように、実施の形態４では、第１配置状態において、ユーザが選択したい所望のアイコンに指が届かない場合にも、第２配置状態に変えてアイコン群を回転させて、所望のアイコンが指の位置に来た時に指を離すことで、そのアイコンを選択できる。従来では、ユーザは、片手の一本指でアイコンを選択する際、所望のアイコンに指が届かない場合がある。その場合、ユーザは、持ち手の状態を変える、別の手の指で押す、等の手間が必要となる。実施の形態４では、そのような手間が不要となり、片手及び一本指で容易に素早くアイコンを選択可能である。また、押圧の強さに応じてアイコンの回転の時間間隔を変えることにより、指が届く位置に所望のアイコンを素早く移動させることができる。
【０１９７】
［変形例］
実施の形態４の変形例として以下が可能である。実施の形態４の表示制御は、画面内に配置される複数のアイコンに限らず、他のオブジェクトを対象として、同様に適用可能である。他のオブジェクトの例としては、メールのアプリケーション画面における複数のメール項目等が挙げられる。
【０１９８】
また、アイコン群の移動については、時間間隔毎の断続的な移動に限らず、実施の形態１のスクロールと同様に連続的な移動としてもよい。アイコン群の移動は、リング状の回転に限らず可能である。例えば、複数のアイコンがＸ方向やＹ方向や任意の方向で並列に配置され、先頭のアイコンと末端のアイコンとがループでつながっている。その配置において、アイコン群を時間間隔毎にあるいは連続的なスクロール等で移動させる。
【０１９９】
また、アイコン配置のリングの中心点Ｑ０の位置は、実装上の固定の設定値に限らず、ユーザ設定による可変の位置としてもよい。例えば、ユーザが使用する手及び指の位置に合わせて好適な位置に設定可能である。また、中心点Ｑ０の位置を、その都度のタッチ押圧の位置に応じて決定してもよい。例えば、タッチ位置座標（Ｘ１，Ｙ１）の点を中心点Ｑ０としてもよいし、その点の近くに中心点Ｑ０を設定してもよい。
【０２００】
また、実施の形態４のアイコン配置変更制御に、実施の形態２や実施の形態３の二種類の操作を用いた制御を組み合わせた形態としてもよい。その場合、押圧操作の区別に応じて、アイコンの回転方向等を変えることができる。例えば、第１領域の押圧の場合には右回り、第２領域の押圧の場合には左回り、等にできる。
【０２０１】
（実施の形態５）
図２６〜図２７を用いて、本発明の実施の形態５の携帯端末装置について説明する。以下、実施の形態５における実施の形態１等とは異なる構成部分について説明する。実施の形態５では、二種類の操作として、筐体１の前面の押圧センサに対する押圧操作と、筐体１の背面の押圧センサに対する押圧操作とを使い分ける。携帯端末装置は、それらの操作に応じて異なる表示範囲変更制御を行う。変更制御の対象及び動作としては、実施の形態２等と同様に、複数のホーム画面の切り替えの場合を示すが、コンテンツ表示情報のスクロール等も同様に適用できる。
【０２０２】
［外観、操作］
図２６は、実施の形態５における携帯端末装置の外観、操作等を示す。図２６の左側は、携帯端末装置の前面を示し、左手で持った状態を示す。表示画面２に対応する領域にはタッチ押圧センサ１１７が配置されている。図２６の右側は、携帯端末装置の背面を示し、左手で持った状態を示す。背面には、所定の位置、例えばＸ方向で中央、Ｙ方向で上側領域内の位置に、背面押圧センサ１１８が配置されている。背面押圧センサ１１８を左手の一本指で押圧する操作を示す。
【０２０３】
［装置構成］
実施の形態５の携帯端末装置は、実施の形態１の図２の構成に対し異なる部分として、センサ部１１０に、タッチ押圧センサ１１７に加えて背面押圧センサ１１８を有する。背面押圧センサ１１８は、押圧の有無及び強さを検出する。図３の押圧検出部２０２は、タッチ押圧センサ１１７の押圧状態だけでなく、背面押圧センサ１１８の押圧状態を検出する。
【０２０４】
［制御フロー］
図２７は、実施の形態５における表示制御部２０４の制御処理のフローを示す。ステップS501〜S518を有する。
【０２０５】
（S501〜S510）  S501からS510までの処理は、実施の形態２のS201からS210までの処理と同様である。S502では画面切り替えの際のレイヤ更新のためのレイヤＬｎが設定される。最初は、レイヤＬ１の画面が表示される。S507では前面のタッチ押圧センサ１１７を用いて押圧の強さＰｎが検出される。S508では、押圧の強さＰｎが閾値Ｐｔ以上である場合に、S511へ進む。
【０２０６】
（S511）  表示制御部２０４は、第１方向の画面切り替えとして、レイヤ下降処理を行い、必要に応じてレイヤＬｎを更新し、S503へ戻る。
【０２０７】
（S512）  一方、S505でタッチ押圧センサ１１７を通じてタッチ無しの場合には、S512へ進む。S512では、押圧検出部２０２により背面押圧センサ１１８を通じて押圧状態を検出する。押圧検出部２０２は、その押圧状態として押圧の強さＰｍを取得する。
【０２０８】
（S513）  表示制御部２０４は、押圧の強さＰｍが所定の閾値Ｐｓ以上であるか否かを判断し、分岐を行う。Ｐｍ≧Ｐｓの場合にはS514へ進み、否の場合にはS515へ進む。
【０２０９】
（S514）  表示制御部２０４は、第２方向の画面切り替えとして、レイヤ上昇処理を行い、必要に応じてレイヤＬｎを更新し、S503へ戻る。
【０２１０】
（S515〜S518）  S515以降の処理は、図１３のS214以降の処理と同様である。
【０２１１】
S511のレイヤ下降処理の詳細は以下である。基本的には実施の形態２や実施の形態３のレイヤ下降処理と同様である。S511では、S507で取得した押圧の強さＰｎについて、図２５のS425と同様に、レイヤ更新に関する時間間隔Ｋｎを設定する。そして、表示制御部２０４は、タイマの時間の値Ｔｎが、閾値Ｔ０である時間間隔Ｋｎ以上であるかを判断し、分岐を行う。以降の処理は、前述と同様である。
【０２１２】
S514のレイヤ上昇処理の詳細は以下である。基本的には実施の形態２や実施の形態３のレイヤ上昇処理と同様である。S514ではS512で取得した背面の押圧の強さＰｍについて、図２５のS425と同様に、レイヤ更新に関する時間間隔Ｋｎを設定する。例えば、下記（４）の式に基づいて、時間間隔Ｋｎを決定する。
Ｋｎ＝Ｋ０×Ｐｓ／Ｐｍ      ・・・（４）
【０２１３】
そして、表示制御部２０４は、タイマの時間の値Ｔｎが、閾値Ｔ０である時間間隔Ｋｎ以上であるかを判断し、分岐を行う。以降の処理は、前述と同様である。
【０２１４】
［効果等］
上記のように、実施の形態５では、ユーザが前面の表示画面２のタッチ押圧センサ１１７を所定の大きさ以上で押圧操作した場合には、複数のホーム画面が第１方向で切り替えられて表示される。また、ユーザが背面の背面押圧センサ１１８を所定の大きさ以上で押圧操作した場合には、複数のホーム画面が第２方向で切り替えられて表示される。ユーザは、携帯端末装置を片手で持った状態で前面の押圧と背面の押圧とを使い分けながら、容易に画面切り替え等が可能である。
【０２１５】
［変形例］
実施の形態５の変形例として以下が可能である。実施の形態５では、制御の対応関係として、前面の押圧の場合にはレイヤ下降処理、背面の押圧の場合にはレイヤ上昇処理としたが、逆の対応関係としてもよい。背面押圧センサ１１８に限らず、筐体１の別の位置、例えば側面の位置に、押圧センサが設けられてもよい。
【０２１６】
（他の実施の形態）
前述の実施の形態では、表示範囲変更制御の対象として、コンテンツ、ホーム画面、アプリケーション画面、アイコン等の場合を説明した。また、変更制御の表示動作として、スクロール、画面切り替え、アイコン移動等を説明した。これらは、前述の実施の形態での組み合わせに限らず、各種の組み合わせの形態が勿論可能である。
【０２１７】
例えば、実施の形態１のタッチ押圧及び傾き角度の制御と、実施の形態２の複数画面切り替え制御とを組み合わせた形態が可能である。この形態の場合、ユーザが画面内を押圧して筐体を傾ける操作をすると、携帯端末装置は、押圧の強さや傾き角度を用いて、画面切り替えの方向や速度、時間間隔等を制御する。
【０２１８】
例えば、実施の形態１のコンテンツのスクロール表示制御と、実施の形態２の複数指の押圧制御、または実施の形態３の２種類の領域の押圧制御とを組み合わせた形態が可能である。この形態の場合、ユーザが画面内を押圧操作すると、携帯端末装置は、押圧の強さや位置や数を用いて、コンテンツのスクロールの方向や速度等を制御する。
【０２１９】
以上、本発明を実施の形態に基づき具体的に説明したが、本発明は前記実施の形態に限定されず、その要旨を逸脱しない範囲で種々変更可能である。本発明の機能等は、一部または全部が、集積回路等のハードウェアで実現されてもよいし、ソフトウェアプログラム処理で実現されてもよい。
【符号の説明】
【０２２０】
１…筐体、２…表示画面、３…表示情報、４…表示範囲、５，６…スクロール。
【図１】
2020184351.tif 000003
【図２】
2020184351.tif 000004
【図３】
2020184351.tif 000005
【図４】
2020184351.tif 000006
【図５】
2020184351.tif 000007
【図６】
2020184351.tif 000008
【図７】
2020184351.tif 000009
【図８】
2020184351.tif 000010
【図９】
2020184351.tif 000011
【図１０】
2020184351.tif 000012
【図１１】
2020184351.tif 000013
【図１２】
2020184351.tif 000014
【図１３】
2020184351.tif 000015
【図１４】
2020184351.tif 000016
【図１５】
2020184351.tif 000017
【図１６】
2020184351.tif 000018
【図１７】
2020184351.tif 000019
【図１８】
2020184351.tif 000020
【図１９】
2020184351.tif 000021
【図２０】
2020184351.tif 000022
【図２１】
2020184351.tif 000023
【図２２】
2020184351.tif 000024
【図２３】
2020184351.tif 000025
【図２４】
2020184351.tif 000026
【図２５】
2020184351.tif 000027
【図２６】
2020184351.tif 000028
【図２７】
2020184351.tif 000029